(57)【要約】【課題】移動局ＵＥがＣＳＧセル＃２に対してアクセス可能な期間が満了しているか否かに関わらず、Ｘ２ハンドオーバを行う。【解決手段】移動局ＵＥの無線基地局ＨｅＮＢ＃１配下のＣＳＧセル＃１から無線基地局ＨｅＮＢ＃２配下のＣＳＧセル＃２へのハンドオーバ手順を行う移動通信方法は、移動局ＵＥの接続先セルが、ＣＳＧセル＃１からＣＳＧセル＃２に切り替わった後に、無線基地局ＨｅＮＢ＃２が、「Ｐａｔｈ  Ｓｗｉｔｃｈ  Ｒｅｑｕｅｓｔ」によって、交換局ＭＭＥに対して、ＣＳＧセル＃２が属する「ＣＳＧ  ＩＤ＝＃２０」及びＣＳＧセル＃２が動作しているアクセスモードを通知する工程Ａと、交換局ＭＭＥが、通知された「ＣＳＧ  ＩＤ＝＃２０」及びＣＳＧセル＃２が動作しているアクセスモードに基づいて、移動局ＵＥのＣＳＧセル＃２に対するアクセス制御を行う工程Ｂとを有する。【選択図】図７
2011120108.tif 000002
【特許請求の範囲】
【請求項１】
移動局の第１無線基地局配下の第１セルから第２無線基地局配下の第２セルへのハンドオーバ手順を行う移動通信方法であって、
前記移動局の接続先セルが、前記第１セルから前記第２セルに切り替わった後に、前記第２無線基地局が、下りリンクにおけるパスの切替を要求するためのパス切替要求信号によって、交換局に対して、前記第２セルが属する加入者グループＩＤ及び該第２セルが動作しているアクセスモードを通知する工程Ａと、
前記交換局が、通知された前記加入者グループＩＤ及び前記アクセスモードに基づいて、前記移動局の前記第２セルに対するアクセス制御を行う工程Ｂとを有することを特徴とする移動通信方法。
【請求項２】
前記工程Ｂにおいて、前記交換局は、通知された前記加入者グループＩＤに基づいて、前記移動局が前記第２セルに対してアクセス可能であると判定した場合で、かつ、通知された前記アクセスモードが、該第２セルにおける登録移動局及び非登録移動局のそれぞれに対して差別化して移動通信サービスを提供することができるｈｙｂｒｉｄモードであると判定した場合、前記第２無線基地局に対して、該移動局が該第２セルにおける登録移動局であることを示す情報を含むパス切替成功信号を送信することを特徴とする請求項１に記載の移動通信方法。
【請求項３】
前記工程Ｂにおいて、前記交換局は、通知された前記加入者グループＩＤに基づいて、前記移動局が前記第２セルに対してアクセス可能であると判定した場合で、かつ、通知された前記アクセスモードが、該第２セルにおける登録移動局に対してのみ移動通信サービスを提供することができるｃｌｏｓｅｄモードであると判定した場合、前記第２無線基地局に対して、パス切替成功信号を送信することを特徴とする請求項１に記載の移動通信方法。
【請求項４】
前記工程Ｂにおいて、前記交換局は、通知された前記加入者グループＩＤに基づいて、前記移動局が前記第２セルに対してアクセス可能でないと判定した場合で、かつ、通知された前記アクセスモードが、該第２セルにおける登録移動局及び非登録移動局のそれぞれに対して差別化して移動通信サービスを提供することができるｈｙｂｒｉｄモードであると判定した場合、前記第２無線基地局に対して、該移動局が該第２セルにおける非登録移動局であることを示す情報を含むパス切替成功信号を送信することを特徴とする請求項１に記載の移動通信方法。
【請求項５】
前記工程Ｂにおいて、前記交換局は、通知された前記加入者グループＩＤに基づいて、前記移動局が前記第２セルに対してアクセス可能でないと判定した場合で、かつ、通知された前記アクセスモードが、該第２セルにおける登録移動局に対してのみ移動通信サービスを提供することができるｃｌｏｓｅｄモードであると判定した場合、前記第２無線基地局に対して、パス切替失敗信号を送信することを特徴とする請求項１に記載の移動通信方法。
【請求項６】
移動局の第１無線基地局配下の第１セルから第２無線基地局配下の第２セルへのハンドオーバ手順において、該第２無線基地局から、下りリンクにおけるパスの切替を要求するためのパス切替要求信号を受信するように構成されている受信部と、
前記ハンドオーバ手順において、前記パス切替要求信号に含まれる前記第２セルが属する加入者グループＩＤ及び該第２セルが動作しているアクセスモードに基づいて、前記移動局の該第２セルに対するアクセス制御を行うように構成されている判定部とを具備することを特徴とする交換局。
【請求項７】
前記判定部が、前記加入者グループＩＤに基づいて、前記移動局が前記第２セルに対してアクセス可能であると判定した場合で、かつ、前記アクセスモードが、該第２セルにおける登録移動局及び非登録移動局のそれぞれに対して差別化して移動通信サービスを提供することができるｈｙｂｒｉｄモードであると判定した場合に、前記第２無線基地局に対して、該移動局が該第２セルにおける登録移動局であることを示す情報を含むパス切替成功信号を送信するように構成されている送信部を具備することを特徴とする請求項６に記載の交換局。
【請求項８】
前記判定部が、前記加入者グループＩＤに基づいて、前記移動局が前記第２セルに対してアクセス可能であると判定した場合で、かつ、前記アクセスモードが、該第２セルにおける登録移動局に対してのみ移動通信サービスを提供することができるｃｌｏｓｅｄモードであると判定した場合に、前記第２無線基地局に対して、パス切替成功信号を送信するように構成されている送信部を具備することを特徴とする請求項６に記載の交換局。
【請求項９】
前記判定部が、前記加入者グループＩＤに基づいて、前記移動局が前記第２セルに対してアクセス可能でないと判定した場合で、かつ、前記アクセスモードが、該第２セルにおける登録移動局及び非登録移動局のそれぞれに対して差別化して移動通信サービスを提供することができるｈｙｂｒｉｄモードであると判定した場合に、前記第２無線基地局に対して、該移動局が該第２セルにおける非登録移動局であることを示す情報を含むパス切替成功信号を送信するように構成されている送信部を具備することを特徴とする請求項６に記載の交換局。
【請求項１０】
前記判定部が、前記加入者グループＩＤに基づいて、前記移動局が前記第２セルに対してアクセス可能でないと判定した場合で、かつ、前記アクセスモードが、該第２セルにおける登録移動局に対してのみ移動通信サービスを提供することができるｃｌｏｓｅｄモードであると判定した場合、前記第２無線基地局に対して、パス切替失敗信号を送信するように構成されている送信部を具備することを特徴とする請求項６に記載の交換局。
【発明の詳細な説明】
【技術分野】
【０００１】
本発明は、移動通信方法及び交換局に関する。
【背景技術】
【０００２】
ＬＴＥ（Ｌｏｎｇ  Ｔｅｒｍ  Ｅｖｏｌｕｔｉｏｎ）方式の移動通信システムでは、ハンドオーバ手順において、交換局ＭＭＥ（Ｍｏｂｉｌｉｔｙ  Ｍａｎａｇｅｍｅｎｔ  Ｅｎｔｉｔｙ）が、移動局ＵＥのハンドオーバ先セルに対するアクセス制御（Ａｃｃｅｓｓ  Ｃｏｎｔｒｏｌ）を行うように構成されている。
【先行技術文献】
【非特許文献】
【０００３】
【非特許文献１】３ＧＰＰ  ＴＳ３６.３００（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年９月
【非特許文献２】３ＧＰＰ  ＴＳ３６.４１３（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年９月
【非特許文献３】３ＧＰＰ  ＴＳ３６.４２３（Ｖ９.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年９月
【発明の概要】
【発明が解決しようとする課題】
【０００４】
しかしながら、かかる移動通信システムにおいて、ハンドオーバ先セルの「ＣＳＧ（Ｃｌｏｓｅｄ  Ｓｕｂｓｃｒｉｂｅｒ  Ｇｒｏｕｐ）  ＩＤ」とハンドオーバ元セルの「ＣＳＧ  ＩＤ」とが異なる場合、上述の交換局ＭＭＥによるアクセス制御が必要になるため、Ｘ２ハンドオーバではなく、Ｓ１ハンドオーバを行わなければならない。
【０００５】
また、ハンドオーバ先セルの「ＣＳＧ  ＩＤ」とハンドオーバ元セルの「ＣＳＧ  ＩＤ」とが同じ場合であっても、図９に示すように、移動局ＵＥとネットワークとの間で、移動局ＵＥがアクセス可能なセルの「ＣＳＧ  ＩＤ」の有効期限に係る情報が即座に同期されず、一致していない場合には、やはり、上述の交換局ＭＭＥによるアクセス制御が必要になるため、Ｘ２ハンドオーバではなく、Ｓ１ハンドオーバを行わなければならない。
【０００６】
例えば、移動局ＵＥが「ＣＳＧ  ＩＤ＝＃２０」のセルに対してアクセス可能な期間が満了した後、ネットワークが「ＣＳＧ  ＩＤ＝＃２０」に係る情報を削除する一方、移動局ＵＥが「ＣＳＧ  ＩＤ＝＃２０」に係る情報を削除していない場合に、移動局ＵＥとネットワークとの間で、移動局ＵＥがアクセス可能なセルの「ＣＳＧ  ＩＤ」に係る情報が一致していないという状態になる。
【０００７】
かかる状態で、Ｘ２ハンドオーバが行われると、移動局ＵＥの「ＣＳＧ  ＩＤ＝＃２０」のセルに対するアクセスを拒否することができないという問題点があった。
【０００８】
そこで、本発明は、上述の課題に鑑みてなされたものであり、移動局ＵＥがＣＳＧセルに対してアクセス可能な期間が満了しているか否かに関わらず、Ｘ２ハンドオーバを行うことができる移動通信方法及び交換局を提供することを目的とする。
【課題を解決するための手段】
【０００９】
本発明の第１の特徴は、移動局の第１無線基地局配下の第１セルから第２無線基地局配下の第２セルへのハンドオーバ手順を行う移動通信方法であって、前記移動局の接続先セルが、前記第１セルから前記第２セルに切り替わった後に、前記第２無線基地局が、下りリンクにおけるパスの切替を要求するためのパス切替要求信号によって、交換局に対して、前記第２セルが属する加入者グループＩＤ及び該第２セルが動作しているアクセスモードを通知する工程Ａと、前記交換局が、通知された前記加入者グループＩＤ及び前記アクセスモードに基づいて、前記移動局の前記第２セルに対するアクセス制御を行う工程Ｂとを有することを要旨とする。
【００１０】
本発明の第２の特徴は、交換局であって、移動局の第１無線基地局配下の第１セルから第２無線基地局配下の第２セルへのハンドオーバ手順において、該第２無線基地局から、下りリンクにおけるパスの切替を要求するためのパス切替要求信号を受信するように構成されている受信部と、前記ハンドオーバ手順において、前記パス切替要求信号に含まれる前記第２セルが属する加入者グループＩＤ及び該第２セルが動作しているアクセスモードに基づいて、前記移動局の該第２セルに対するアクセス制御を行うように構成されている判定部とを具備することを要旨とする。
【発明の効果】
【００１１】
以上説明したように、本発明によれば、移動局ＵＥがＣＳＧセルに対してアクセス可能な期間が満了しているか否かに関わらず、Ｘ２ハンドオーバを行うことができる移動通信方法及び交換局を提供することができる。
【図面の簡単な説明】
【００１２】
【図１】本発明の第１の実施形態に係る移動通信システムの全体構成図である。
【図２】本発明の第１の実施形態に係る交換局ＭＭＥの機能ブロック図である。
【図３】本発明の第１の実施形態に係る移動通信システムで送信される「Ｐａｔｈ  Ｓｗｉｔｃｈ  Ｒｅｑｕｅｓｔ」の情報要素の一例を示す図である。
【図４】本発明の第１の実施形態に係る移動通信システムで送信される「Ｐａｔｈ  Ｓｗｉｔｃｈ  Ｒｅｑｕｅｓｔ  Ａｃｋｎｏｗｌｅｄｇｅ」の情報要素の一例を示す図である。
【図５】本発明の第１の実施形態に係る無線基地局ＨｅＮＢの機能ブロック図である。
【図６】本発明の第１の実施形態に係る移動通信システムで送信される「Ｈａｎｄｏｖｅｒ  Ｒｅｑｕｅｓｔ」の情報要素の一例を示す図である。
【図７】本発明の第１の実施形態に係る移動通信システムの動作を示すシーケンス図である。
【図８】本発明の第１の実施形態に係る交換局ＭＭＥの動作を示すフローチャートである。
【図９】従来の移動通信システムの問題点を説明するための図である。
【発明を実施するための形態】
【００１３】
（本発明の第１の実施形態に係る移動通信システムの構成）
図１乃至図６を参照して、本発明の第１の実施形態に係る移動通信システムの構成について説明する。
【００１４】
本実施形態に係る移動通信システムは、ＬＴＥ方式の移動通信システムであって、図１に示すように、交換局ＭＭＥと、無線基地局ＨｅＮＢ（Ｈｏｍｅ-ｅＮＢ）＃１/ＨｅＮＢ＃２と、移動局ＵＥとを具備している。
【００１５】
また、本実施形態に係る移動通信システムでは、無線基地局ＨｅＮＢ＃１配下にＣＳＧセル＃１が設けられており、無線基地局ＨｅＮＢ＃２配下にＣＳＧセル＃２が設けられている。
【００１６】
なお、ＣＳＧセル＃１の「ＣＳＧ  ＩＤ」とＣＳＧセル＃２の「ＣＳＧ  ＩＤ」とは、異なっていてもよいし、同じであってもよい。
【００１７】
また、無線基地局ＨｅＮＢ＃１及び無線基地局ＨｅＮＢ＃２は、Ｘ２インターフェイスで接続されており、無線基地局ＨｅＮＢ＃１及び交換局ＭＭＥは、Ｓ１インターフェイスで接続されており、無線基地局ＨｅＮＢ＃２及び交換局ＭＭＥは、Ｓ１インターフェイスで接続されている。
【００１８】
図２に示すように、交換局ＭＭＥは、受信部１１と、記憶部１２と、判定部１３と、送信部１４とを具備している。
【００１９】
受信部１１は、移動局ＵＥのハンドオーバ手順において、ハンドオーバ先セルを管理する無線基地局ＨｅＮＢから、「Ｐａｔｈ  Ｓｗｉｔｃｈ  Ｒｅｑｕｅｓｔ」等の信号を受信するように構成されている。
【００２０】
図３に、かかるハンドオーバ先セルを管理する無線基地局ＨｅＮＢによって送信される「Ｐａｔｈ  Ｓｗｉｔｃｈ  Ｒｅｑｕｅｓｔ」の情報要素の一例を示す。
【００２１】
図３に示すように、「Ｐａｔｈ  Ｓｗｉｔｃｈ  Ｒｅｑｕｅｓｔ」には、情報要素として、ハンドオーバ先セルの「ＣＳＧ  ＩＤ」や「Ｃｅｌｌ  Ａｃｃｅｓｓ  Ｍｏｄｅ」等が設定可能である。
【００２２】
ここで、「Ｃｅｌｌ  Ａｃｃｅｓｓ  Ｍｏｄｅ」は、ハンドオーバ先セルが動作しているアクセスモードを示す情報要素であり、具体的には、ハンドオーバ先セルが動作しているアクセスモードが「ｈｙｂｒｉｄモード」であるか否かについて示す１ビット情報である。
【００２３】
なお、ハンドオーバ先セルが動作しているアクセスモードが、「ｏｐｅｎモード」である場合、「Ｐａｔｈ  Ｓｗｉｔｃｈ  Ｒｅｑｕｅｓｔ」には、ハンドオーバ先セルの「ＣＳＧ  ＩＤ」や「Ｃｅｌｌ  Ａｃｃｅｓｓ  Ｍｏｄｅ」が設定されない。
【００２４】
記憶部１２は、各移動局ＵＥに係る「ＵＥ  ｓｕｂｓｃｒｉｐｔｉｏｎ  ｉｎｆｏ」を記憶するように構成されている。
【００２５】
かかる「ＵＥ  ｓｕｂｓｃｒｉｐｔｉｏｎ  ｉｎｆｏ」には、移動局ＵＥがアクセス可能なセルの「ＣＳＧ  ＩＤ」を示す「Ａｌｌｏｗｅｄ  ＣＳＧ  ＩＤ」が含まれている。なお、「Ａｌｌｏｗｅｄ  ＣＳＧ  ＩＤ」には、有効期間が設定されていてもよい。
【００２６】
判定部１３は、移動局ＵＥのハンドオーバ手順において、受信部１１によって受信された「Ｐａｔｈ  Ｓｗｉｔｃｈ  Ｒｅｑｕｅｓｔ」に含まれるハンドオーバ先セルが属する「ＣＳＧ  ＩＤ」及びハンドオーバセルが動作しているアクセスモードに基づいて、かかる移動局ＵＥのハンドオーバセルに対するアクセス制御を行うように構成されている。
【００２７】
送信部１４は、移動局ＵＥのハンドオーバ手順において、判定部１３による判定結果に応じて、ハンドオーバ先セルを管理する無線基地局ＨｅＮＢに対して、「Ｐａｔｈ  Ｓｗｉｔｃｈ  Ｒｅｑｕｅｓｔ  Ａｃｋｎｏｗｌｅｄｇｅ」又は「Ｐａｔｈ  Ｓｗｉｔｃｈ  Ｒｅｑｕｅｓｔ  Ｆａｉｌｕｒｅ」を送信するように構成されている。
【００２８】
図４に、送信部１４によって送信される「Ｐａｔｈ  Ｓｗｉｔｃｈ  Ｒｅｑｕｅｓｔ  Ａｃｋｎｏｗｌｅｄｇｅ」の情報要素の一例を示す。
【００２９】
図４に示すように、「Ｐａｔｈ  Ｓｗｉｔｃｈ  Ｒｅｑｕｅｓｔ  Ａｃｋｎｏｗｌｅｄｇｅ」には、情報要素として、「ＣＳＧ  ｍｅｍｂｅｒｓｈｉｐ  ｓｔａｔｕｓ」等が設定可能である。
【００３０】
ここで、「ＣＳＧ  ｍｅｍｂｅｒｓｈｉｐ  ｓｔａｔｕｓ」は、移動局ＵＥがハンドオーバ先セルにおける登録移動局であるか否かについて示す情報である。
【００３１】
例えば、移動局ＵＥが、ハンドオーバ先セルにおける登録移動局である場合、「ＣＳＧ  ｍｅｍｂｅｒｓｈｉｐ  ｓｔａｔｕｓ」として「ｍｅｍｂｅｒ」が設定され、移動局ＵＥが、ハンドオーバ先セルにおける非登録移動局である場合、「ＣＳＧ  ｍｅｍｂｅｒｓｈｉｐ  ｓｔａｔｕｓ」として「ｎｏｎ  ｍｅｍｂｅｒ」が設定される。
【００３２】
なお、ハンドオーバ先セルが動作しているアクセスモードが、「ｏｐｅｎモード」又は「ｃｌｏｓｅｄモード」である場合、「Ｐａｔｈ  Ｓｗｉｔｃｈ  Ｒｅｑｕｅｓｔ  Ａｃｋｎｏｗｌｅｄｇｅ」には、「ＣＳＧ  ｍｅｍｂｅｒｓｈｉｐ  ｓｔａｔｕｓ」が設定されない。
【００３３】
具体的には、判定部１３が、「Ｐａｔｈ  Ｓｗｉｔｃｈ  Ｒｅｑｕｅｓｔ」に含まれている「ＣＳＧ  ＩＤ」に基づいて、移動局ＵＥがハンドオーバ先セルに対してアクセス可能であると判定した場合で、かつ、ハンドオーバ先セルが動作しているアクセスモードが「ｈｙｂｒｉｄモード」であると判定した場合に、送信部１４は、ハンドオーバ先セルを管理する無線基地局ＨｅＮＢに対して、「ＣＳＧ  ｍｅｍｂｅｒｓｈｉｐ  ｓｔａｔｕｓ＝ｍｅｍｂｅｒ」を含む「Ｐａｔｈ  Ｓｗｉｔｃｈ  Ｒｅｑｕｅｓｔ  Ａｃｋｎｏｗｌｅｄｇｅ」を送信するように構成されている。
【００３４】
また、判定部１３が、「Ｐａｔｈ  Ｓｗｉｔｃｈ  Ｒｅｑｕｅｓｔ」に含まれている「ＣＳＧ  ＩＤ」に基づいて、移動局ＵＥがハンドオーバ先セルに対してアクセス可能であると判定した場合で、かつ、ハンドオーバ先セルが動作しているアクセスモードが「ｃｌｏｓｅｄモード」であると判定した場合に、ハンドオーバ先セルを管理する無線基地局ＨｅＮＢに対して、「Ｐａｔｈ  Ｓｗｉｔｃｈ  Ｒｅｑｕｅｓｔ  Ａｃｋｎｏｗｌｅｄｇｅ」を送信するように構成されている。
【００３５】
かかる「Ｐａｔｈ  Ｓｗｉｔｃｈ  Ｒｅｑｕｅｓｔ  Ａｃｋｎｏｗｌｅｄｇｅ」には、「ＣＳＧ  ｍｅｍｂｅｒｓｈｉｐ  ｓｔａｔｕｓ」が設定されていない。
【００３６】
さらに、判定部１３が、「Ｐａｔｈ  Ｓｗｉｔｃｈ  Ｒｅｑｕｅｓｔ」に含まれている「ＣＳＧ  ＩＤ」に基づいて、移動局ＵＥがハンドオーバ先セルに対してアクセス可能でないと判定した場合で、かつ、ハンドオーバ先セルが動作しているアクセスモードが「ｈｙｂｒｉｄモード」であると判定した場合に、ハンドオーバ先セルを管理する無線基地局ＨｅＮＢに対して、「ＣＳＧ  ｍｅｍｂｅｒｓｈｉｐ  ｓｔａｔｕｓ＝ｎｏｎ  ｍｅｍｂｅｒ」を含む「Ｐａｔｈ  Ｓｗｉｔｃｈ  Ｒｅｑｕｅｓｔ  Ａｃｋｎｏｗｌｅｄｇｅ」を送信するように構成されている。
【００３７】
また、判定部１３が、「Ｐａｔｈ  Ｓｗｉｔｃｈ  Ｒｅｑｕｅｓｔ」に含まれている「ＣＳＧ  ＩＤ」に基づいて、移動局ＵＥがハンドオーバ先セルに対してアクセス可能でないと判定した場合で、かつ、ハンドオーバ先セルが動作しているアクセスモードが「ｃｌｏｓｅｄモード」であると判定した場合、ハンドオーバ先セルを管理する無線基地局ＨｅＮＢに対して、「Ｐａｔｈ  Ｓｗｉｔｃｈ  Ｒｅｑｕｅｓｔ  Ｆａｉｌｕｒｅ」を送信するように構成されている。
【００３８】
図５に示すように、無線基地局ＨｅＮＢは、受信部２１と、記憶部２２と、判定部２３と、送信部２４とを具備している。
【００３９】
受信部２１は、移動局ＵＥから、「Ｍｅａｓｕｒｅｍｅｎｔ  Ｒｅｐｏｒｔ」等の信号を受信するように構成されている。
【００４０】
また、移動局ＵＥのハンドオーバ手順において、無線基地局ＨｅＮＢが、ハンドオーバ先セルを管理する無線基地局であった場合、受信部２１は、移動局ＵＥから、「Ｓｙｎｃｈｒｏｎｉｓａｔｉｏｎ」や「ＲＲＣ  Ｃｏｎｎｅｃｔｉｏｎ  Ｒｅｃｏｎｆｉｇｕｒａｔｉｏｎ  Ｃｏｍｐｌｅｔｅ」等の信号を受信するように構成されている。
【００４１】
また、移動局ＵＥのハンドオーバ手順において、無線基地局ＨｅＮＢが、ハンドオーバ先セルを管理する無線基地局であった場合、受信部２１は、交換局ＭＭＥから、「Ｐａｔｈ  Ｓｗｉｔｃｈ  Ｒｅｑｕｅｓｔ  Ａｃｋｎｏｗｌｅｄｇｅ」や「Ｐａｔｈ  Ｓｗｉｔｃｈ  Ｒｅｑｕｅｓｔ  Ｆａｉｌｕｒｅ」等の信号を受信したり、ハンドオーバ元セルを管理する無線基地局から、「Ｈａｎｄｏｖｅｒ  Ｒｅｑｕｅｓｔ」や「ＳＮ  Ｓｔａｔｕｓ  Ｔｒａｎｓｆｅｒ」等の信号を受信したりするように構成されている。
【００４２】
また、移動局ＵＥのハンドオーバ手順において、無線基地局ＨｅＮＢが、ハンドオーバ元セルを管理する無線基地局であった場合、受信部２１は、ハンドオーバ先セルを管理する無線基地局から、「Ｈａｎｄｏｖｅｒ  Ｒｅｑｕｅｓｔ  Ａｃｋ」や「ＵＥ  Ｃｏｎｔｅｘｔ  Ｒｅｌｅａｓｅ」等の信号を受信するように構成されている。
【００４３】
記憶部２２は、配下のセルの「ＣＳＧ  ＩＤ」や、配下のセルが動作しているアクセスモードを記憶するように構成されている。
【００４４】
また、記憶部２２は、ＮＲＴ（Ｎｅｉｇｈｂｏｒ  Ｒｅｌｅａｔｉｏｎ  Ｔａｂｌｅ）を用いて、隣接する無線基地局によって管理されているセルの「ＣＳＧ  ＩＤ」や、隣接する無線基地局によって管理されているセルが動作しているアクセスモードを記憶するように構成されている。
【００４５】
判定部２３は、移動局ＵＥのハンドオーバ手順において、移動局ＵＥから受信した「Ｍｅａｓｕｒｅｍｅｎｔ  Ｒｅｐｏｒｔ」に含まれる「ＣＳＧ  ＩＤ」と記憶部２２によって管理されている配下のセルの「ＣＳＧ  ＩＤ」とを比較することによって、ハンドオーバ先セルの「ＣＳＧ  ＩＤ」とハンドオーバ元セルの「ＣＳＧ  ＩＤ」とが一致するか否かについて判定するように構成されていてもよい。
【００４６】
ここで、判定部２３は、両者が一致すると判定した場合、Ｘ２ハンドオーバを行うことを決定し、両者が一致しないと判定した場合、Ｓ１ハンドオーバを行うことを決定するように構成されていてもよい。
【００４７】
また、判定部２３は、移動局ＵＥのハンドオーバ手順において、移動局ＵＥから受信した「Ｍｅａｓｕｒｅｍｅｎｔ  Ｒｅｐｏｒｔ」に含まれる「ＣＳＧ  ＩＤ」と記憶部２２によって管理されているＮＲＴに含まれるセルの「ＣＳＧ  ＩＤ」とを比較することによって、移動局ＵＥから受信した「Ｍｅａｓｕｒｅｍｅｎｔ  Ｒｅｐｏｒｔ」に含まれる「ＣＳＧ  ＩＤ」が正しいか否かについて判定するように構成されていてもよい。
【００４８】
また、判定部２３は、移動局ＵＥのハンドオーバ手順において、移動局ＵＥから受信した「Ｍｅａｓｕｒｅｍｅｎｔ  Ｒｅｐｏｒｔ」に含まれる「ＰＣＩ（Ｐｈｙｉｃａｌ  Ｃｅｌｌ  ＩＤ）」に基づいて、ハンドオーバ先セルが動作しているアクセスモードを特定し、かかるアクセスモードが「ｈｙｂｒｉｄモード」又は「ｃｌｏｓｅｄモード」である場合にのみ、上述の判定を行うように構成されていてもよい。
【００４９】
送信部２４は、移動局ＵＥに対して、「Ｍｅａｓｕｒｅｍｅｎｔ  Ｃｏｎｔｒｏｌ」等の信号を送信するように構成されている。
【００５０】
また、移動局ＵＥのハンドオーバ手順において、無線基地局ＨｅＮＢが、ハンドオーバ先セルを管理する無線基地局であった場合、送信部２４は、移動局ＵＥに対して、「ｍｏｂｉｌｉｔｙＣｏｎｔｒｏｌｉｎｆｏｒｍａｔｉｏｎ」を含む「ＲＲＣ  Ｃｏｎｎｅｃｔｉｏｎ  Ｒｅｃｏｎｆｉｇｕｒａｔｉｏｎ」等の信号を送信するように構成されている。
【００５１】
また、移動局ＵＥのハンドオーバ手順において、無線基地局ＨｅＮＢが、ハンドオーバ元セルを管理する無線基地局であった場合、送信部２４は、ハンドオーバ先セルを管理する無線基地局に対して、「Ｈａｎｄｏｖｅｒ  Ｒｅｑｕｅｓｔ」や「ＳＮ  Ｓｔａｔｕｓ  Ｔｒａｎｓｆｅｒ」等の信号を送信するように構成されている。
【００５２】
図６に、送信部２４によって送信される「Ｈａｎｄｏｖｅｒ  Ｒｅｑｕｅｓｔ」の情報要素の一例を示す。
【００５３】
図６に示すように、「Ｈａｎｄｏｖｅｒ  Ｒｅｑｕｅｓｔ」には、情報要素として、「Ｔａｒｇｅｔ  ＣＳＧ  ＩＤ」や「Ｐｒｅｌｉｍｉｎａｒｙ  ａｃｃｅｓｓ  ｃｈｅｃｋ」等が設定可能である。
【００５４】
ここで、「Ｔａｒｇｅｔ  ＣＳＧ  ＩＤ」は、ハンドオーバ先セルの「ＣＳＧ  ＩＤ」を示し、「Ｐｒｅｌｉｍｉｎａｒｙ  ａｃｃｅｓｓ  ｃｈｅｃｋ」は、移動局ＵＥのハンドオーバ先セルに対するアクセスの可否を示す情報である。なお、かかる「Ｐｒｅｌｉｍｉｎａｒｙ  ａｃｃｅｓｓ  ｃｈｅｃｋ」には、移動局ＵＥから通知された「Ｐｒｅｌｉｍｉｎａｒｙ  ａｃｃｅｓｓ  ｃｈｅｃｋ」の値が設定される。
【００５５】
なお、送信部２４は、移動局ＵＥがハンドオーバ先セルに対してアクセス可能である場合にのみ、「Ｈａｎｄｏｖｅｒ  Ｒｅｑｕｅｓｔ」に「Ｔａｒｇｅｔ  ＣＳＧ  ＩＤ」を設定するように構成されていてもよい。
【００５６】
送信部２４は、ハンドオーバ先セルが動作しているアクセスモードが「ｈｙｂｒｉｄ」モードである場合にのみ、「Ｈａｎｄｏｖｅｒ  Ｒｅｑｕｅｓｔ」に「Ｐｒｅｌｉｍｉｎａｒｙ  ａｃｃｅｓｓ  ｃｈｅｃｋ」を設定するように構成されていてもよい。
【００５７】
また、判定部２３が、移動局ＵＥから受信した「Ｍｅａｓｕｒｅｍｅｎｔ  Ｒｅｐｏｒｔ」に含まれる「ＣＳＧ  ＩＤ」が正しいかと判定した場合に、送信部２４は、「Ｈａｎｄｏｖｅｒ  Ｒｅｑｕｅｓｔ」に「Ｔａｒｇｅｔ  ＣＳＧ  ＩＤ」を設定しないように構成されていてもよい。
【００５８】
さらに、移動局ＵＥのハンドオーバ手順において、無線基地局ＨｅＮＢが、ハンドオーバ先セルを管理する無線基地局であった場合、送信部２４は、ハンドオーバ元セルを管理する無線基地局に対して、「Ｈａｎｄｏｖｅｒ  Ｒｅｑｕｅｓｔ  Ａｃｋ」や「ＵＥ  Ｃｏｎｔｅｘｔ  Ｒｅｌｅａｓｅ」等の信号を送信するように構成されている。
【００５９】
（本発明の第１の実施形態に係る移動通信システムの動作）
図７及び図８を参照して、本発明の第１の実施形態に係る移動通信システムの動作について説明する。
【００６０】
図７に示すように、ステップＳ０において、無線基地局ＨｅＮＢ＃１配下のＣＳＧセル＃１に、移動局ＵＥのローミングに関するアクセス制限情報が格納されている。
【００６１】
ステップＳ１において、無線基地局ＨｅＮＢ＃１は、ＣＳＧセル１配下で通信中の移動局ＵＥに対して、「Ｍｅａｓｕｒｅｍｅｎｔ  Ｃｏｎｔｒｏｌ」を送信する。
【００６２】
ステップＳ２において、移動局ＵＥは、所定タイミングで、無線基地局ＨｅＮＢ＃１によって割り当てられた無線リソースを用いて、「Ｍｅａｓｕｒｅｍｅｎｔ  Ｒｅｐｏｒｔ」を送信する。
【００６３】
ステップＳ３において、無線基地局ＨｅＮＢ＃１は、移動局ＵＥのＣＳＧセル＃１から無線基地局ＨｅＮＢ＃２配下のＣＳＧセル＃２へのハンドオーバ手順を開始することを決定する。
【００６４】
ここで、無線基地局ＨｅＮＢ＃１は、上述の判定部２３による判定を行ってもよい。なお、図７の例では、ＣＳＧセル＃１の「ＣＳＧ  ＩＤ」及びＣＳＧセル＃２の「ＣＳＧ  ＩＤ」は、同一であり、共に「＃２０」であるものとする。
【００６５】
ステップＳ４において、無線基地局ＨｅＮＢ＃１は、無線基地局ＨｅＮＢ＃２に対して、ＣＳＧセル＃２の「ＣＳＧ  ＩＤ＝＃２０」が設定された「Ｔａｒｇｅｔ  ＣＳＧ  ＩＤ」及び「Ｐｒｅｌｉｍｉｎａｒｙ  ａｃｃｅｓｓ  ｃｈｅｃｋ」を含む「Ｈａｎｄｏｖｅｒ  Ｒｅｑｕｅｓｔ」を送信する。
【００６６】
無線基地局ＨｅＮＢ＃２は、ステップＳ５において、かかる「Ｈａｎｄｏｖｅｒ  Ｒｅｑｕｅｓｔ」に対する受付制御を行い、ステップＳ６において、無線基地局ＨｅＮＢ＃１に対して、「Ｈａｎｄｏｖｅｒ  Ｒｅｑｕｅｓｔ  Ａｃｋ」を送信する。
【００６７】
ステップＳ７において、無線基地局ＨｅＮＢ＃１は、移動局ＵＥに対して、「ｍｏｂｉｌｉｔｙＣｏｎｔｒｏｌｉｎｆｏｒｍａｔｉｏｎ」を含む「ＲＲＣ  Ｃｏｎｎｅｃｔｉｏｎ  Ｒｅｃｏｎｆｉｇｕｒａｔｉｏｎ」を送信する。
【００６８】
移動局ＵＥの接続先セルのＣＳＧセル＃１からＣＳＧセル＃２への切り替え処理が完了した後、ステップＳ８において、無線基地局ＨｅＮＢ＃１は、無線基地局ＨｅＮＢ＃２に対して、「ＳＮ  Ｓｔａｔｕｓ  Ｔｒａｎｓｆｅｒ」を送信する。
【００６９】
無線基地局ＨｅＮＢ＃１に蓄積されている移動局ＵＥへの未送信パケットが、無線基地局ＨｅＮＢ＃２に転送されバッファリングされた後、ステップＳ９において、移動局ＵＥが、無線基地局ＨｅＮＢ＃２との間で、無線リンクの同期処理を行い、Ｒａｎｄｏｍ  Ａｃｃｅｓｓ  Ｐｒｅａｍｂｌｅを送信する。
【００７０】
ステップＳ１０において、無線基地局ＨｅＮＢ＃２が、移動局ＵＥに対して、「ＴＡ（Ｔｉｍｉｎｇ  Ａｄｊｕｓｔｍｅｎｔ）」を送信し、ステップＳ１１において、移動局ＵＥが、無線基地局ＨｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７１】
ステップＳ１２において、無線基地局ＨｅＮＢ＃２は、交換局ＭＭＥに対して、ＣＳＧセル＃２に係る「ＣＳＧ  ＩＤ」及び「Ｃｅｌｌ  ａｃｃｅｓｓ  ｍｏｄｅ」を含む「Ｐａｔｈ  Ｓｗｉｔｈｃｈ  Ｒｅｑｕｅｓｔ」を送信する。
【００７２】
交換局ＭＭＥは、受信した「Ｐａｔｈ  Ｓｗｉｔｈｃｈ  Ｒｅｑｕｅｓｔ」に応じて、移動局ＵＥのＣＳＧセル＃２に対するアクセス制御を行う。かかるアクセス制御については、図８を用いて後述する。
【００７３】
ステップＳ１３において、交換局ＭＭＥは、上述のアクセス制御に成功した場合、ゲートウェイ装置Ｓ-ＧＷ（Ｓｅｒｖｉｎｇ  Ｇａｔｅｗａｙ）に対して、「Ｕｓｅｒ  Ｐｌａｎｅ  ｕｐｄａｔｅ  ｒｅｑｕｅｓｔ」を送信する。
【００７４】
ゲートウェイ装置Ｓ-ＧＷは、ステップＳ１４において、移動局ＵＥについての下りリンクの切り替え処理を行い、ステップＳ１５において、交換局ＭＭＥに対して、「Ｕｓｅｒ  Ｐｌａｎｅ  ｕｐｄａｔｅ  ｒｅｓｐｏｎｓｅ」を送信する。
【００７５】
ステップＳ１６において、交換局ＭＭＥは、無線基地局ＨｅＮＢ＃２に対して、「ＣＳＧ  ｍｅｍｂｅｒｓｈｉｐ  ｓｔａｔｕｓ」を含む「Ｐａｔｈ  Ｓｗｉｔｈｃｈ  Ｒｅｑｕｅｓｔ  Ａｃｋｎｏｗｌｅｄｇｅ」を送信する。
【００７６】
ステップ１７において、無線基地局ＨｅＮＢ＃２は、無線基地局ＨｅＮＢ＃１に対して、「ＵＥ  Ｃｏｎｔｅｘｔ  Ｒｅｌｅａｓｅ」を送信し、ステップＳ１８において、無線基地局ＨｅＮＢ＃１は、移動局ＵＥに係るＵＥコンテキスト情報を削除する。
【００７７】
以下、図８を参照して、上述の交換局ＭＭＥにおけるアクセス制御及びステップＳ１５の動作について説明する。
【００７８】
図８に示すように、ステップＳ１０１において、交換局ＭＭＥは、受信した「Ｐａｔｈ  Ｓｗｉｔｈｃｈ  Ｒｅｑｕｅｓｔ」に含まれる「ＣＳＧ  ＩＤ＃２０」及び移動局ＵＥの「Ａｌｌｏｗｅｄ  ＣＳＧ  ＩＤ」に基づいて、移動局ＵＥが「ＣＳＧ  ＩＤ＝＃２０」のＣＳＧセル＃２（ハンドオーバ先セル）に対してアクセス可能であるか否かについて判定する。
【００７９】
アクセス可能であると判定された場合、本動作は、ステップＳ１０５に進み、アクセス可能でないと判定された場合、本動作は、ステップＳ１０２に進む。
【００８０】
ステップＳ１０２において、交換局ＭＭＥは、受信した「Ｐａｔｈ  Ｓｗｉｔｈｃｈ  Ｒｅｑｕｅｓｔ」に含まれる「ＣＳＧ  ＩＤ」及び「Ｃｅｌｌ  ａｃｃｅｓｓ  ｍｏｄｅ」に基づいて、ＣＳＧセル＃２が動作しているアクセスモードが「ｈｙｂｒｉｄモード」であるか否かについて判定する。
【００８１】
「ｈｙｂｒｉｄモード」であると判定された場合、本動作は、ステップＳ１０３に進み、「ｈｙｂｒｉｄモード」でないと判定された場合、本動作は、ステップＳ１０４に進む。
【００８２】
ステップＳ１０３において、交換局ＭＭＥは、無線基地局ＨｅＮＢ＃２に対して、「ＣＳＧ  ｍｅｍｂｅｒｓｈｉｐ  ｓｔａｔｕｓ＝ｎｏｎ  ｍｅｍｂｅｒ」を含む「Ｐａｔｈ  Ｓｗｉｔｃｈ  Ｒｅｑｕｅｓｔ  Ａｃｋｎｏｗｌｅｄｇｅ」を送信する。
【００８３】
ステップＳ１０４において、交換局ＭＭＥは、無線基地局ＨｅＮＢ＃２に対して、移動局ＵＥのＣＳＧセル＃２へのハンドオーバ手順が失敗したことを示す「Ｐａｔｈ  Ｓｗｉｔｃｈ  Ｒｅｑｕｅｓｔ  Ｆａｉｌｕｒｅ」を送信する。
【００８４】
ステップＳ１０５において、交換局ＭＭＥは、受信した「Ｐａｔｈ  Ｓｗｉｔｈｃｈ  Ｒｅｑｕｅｓｔ」に含まれる「Ｃｅｌｌ  ａｃｃｅｓｓ  ｍｏｄｅ」が「ｈｙｂｒｉｄモード」であることを示すか否かについて判定する。
【００８５】
「ｈｙｂｒｉｄモード」であることを示すと判定された場合、本動作は、ステップＳ１０６に進み、「ｈｙｂｒｉｄモード」でないことを示す（すなわち、「ｃｌｏｓｅｄモード」である）と判定された場合、本動作は、ステップＳ１０７に進む。
【００８６】
ステップＳ１０６において、交換局ＭＭＥは、無線基地局ＨｅＮＢ＃２に対して、「ＣＳＧ  ｍｅｍｂｅｒｓｈｉｐ  ｓｔａｔｕｓ＝ｍｅｍｂｅｒ」を含む「Ｐａｔｈ  Ｓｗｉｔｃｈ  Ｒｅｑｕｅｓｔ  Ａｃｋｎｏｗｌｅｄｇｅ」を送信する。
【００８７】
ステップＳ１０７において、交換局ＭＭＥは、無線基地局ＨｅＮＢ＃２に対して、「ＣＳＧ  ｍｅｍｂｅｒｓｈｉｐ  ｓｔａｔｕｓ＝ｍｅｍｂｅｒ」を含まない「Ｐａｔｈ  Ｓｗｉｔｃｈ  Ｒｅｑｕｅｓｔ  Ａｃｋｎｏｗｌｅｄｇｅ」を送信する。
【００８８】
（本発明の第１の実施形態に係る移動通信システムの作用・効果）
本発明の第１の実施形態に係る移動通信システムによれば、ハンドオーバ先セルを管理する無線基地局ＨｅＮＢが、交換局ＭＭＥに対して、「Ｐａｔｈ  Ｓｗｉｔｃｈ  Ｒｅｑｕｅｓｔ」によって、ハンドオーバ先セルの「ＣＳＧ  ＩＤ」及びハンドオーバ先セルが動作しているアクセスモードを通知するように構成されているため、交換局ＭＭＥが、Ｘ２ハンドオーバ手順においても、移動局ＵＥのハンドオーバ先セルに対するアクセス制御を行うことができる。
【００８９】
その結果、移動局ＵＥがハンドオーバ先セル＃２に対してアクセス可能な期間が満了しているか否かに関わらず、Ｘ２ハンドオーバを行うことができる。
【００９０】
以上に述べた本実施形態の特徴は、以下のように表現されていてもよい。
【００９１】
本実施形態の第１の特徴は、移動局ＵＥの無線基地局ＨｅＮＢ＃１（第１無線基地局）配下のＣＳＧセル＃１（第１セル）から無線基地局ＨｅＮＢ＃２（第２無線基地局）配下のＣＳＧセル＃２（第２セル）へのハンドオーバ手順を行う移動通信方法であって、移動局ＵＥの接続先セルが、ＣＳＧセル＃１からＣＳＧセル＃２に切り替わった後に、無線基地局ＨｅＮＢ＃２が、「Ｐａｔｈ  Ｓｗｉｔｃｈ  Ｒｅｑｕｅｓｔ（下りリンクにおけるパスの切替を要求するためのパス切替要求信号）」によって、交換局ＭＭＥに対して、ＣＳＧセル＃２が属する「ＣＳＧ  ＩＤ（加入者グループＩＤ）＝＃２０」及びＣＳＧセル＃２が動作しているアクセスモード（ｈｙｂｒｉｄモード/ｃｌｏｓｅｄモード）を通知する工程Ａと、交換局ＭＭＥが、通知された「ＣＳＧ  ＩＤ＝＃２０」及びＣＳＧセル＃２が動作しているアクセスモードに基づいて、移動局ＵＥのＣＳＧセル＃２に対するアクセス制御を行う工程Ｂとを有することを要旨とする。
【００９２】
本実施形態の第１の特徴において、工程Ｂにおいて、交換局ＭＭＥは、通知された「ＣＳＧ  ＩＤ＝＃２０」に基づいて、移動局ＵＥがＣＳＧセル＃２に対してアクセス可能であると判定した場合で、かつ、通知されたアクセスモードが「ｈｙｂｒｉｄモード」であると判定した場合、無線基地局ＨｅＮＢ＃２に対して、「ＣＳＧ  ｍｅｍｂｅｒｓｈｉｐ  ｓｔａｔｕｓ＝ｍｅｍｂｅｒ（移動局ＵＥがＣＳＧセル＃２における登録移動局であることを示す情報）」を含む「Ｐａｔｈ  Ｓｗｉｔｃｈ  Ｒｅｑｕｅｓｔ  Ａｃｋｎｏｗｌｅｄｇｅ（パス切替成功信号）」を送信してもよい。
【００９３】
本実施形態の第１の特徴において、工程Ｂにおいて、交換局ＭＭＥは、通知された「ＣＳＧ  ＩＤ＝＃２０」に基づいて、移動局ＵＥがＣＳＧセル＃２に対してアクセス可能であると判定した場合で、かつ、通知されたアクセスモードが「ｃｌｏｓｅｄモード」であると判定した場合、無線基地局ＨｅＮＢ＃２に対して、「Ｐａｔｈ  Ｓｗｉｔｃｈ  Ｒｅｑｕｅｓｔ  Ａｃｋｎｏｗｌｅｄｇｅ」を送信してもよい。
【００９４】
本実施形態の第１の特徴において、工程Ｂにおいて、交換局ＭＭＥは、通知された「ＣＳＧ  ＩＤ＝＃２０」に基づいて、移動局ＵＥがＣＳＧセル＃２に対してアクセス可能でないと判定した場合で、かつ、通知されたアクセスモードが「ｈｙｂｒｉｄモード」であると判定した場合、無線基地局ＨｅＮＢ＃２に対して、「ＣＳＧ  ｍｅｍｂｅｒｓｈｉｐ  ｓｔａｔｕｓ＝ｎｏｎ  ｍｅｍｂｅｒ（移動局ＵＥがＣＳＧセル＃２における非登録移動局であることを示す情報）」を含む「Ｐａｔｈ  Ｓｗｉｔｃｈ  Ｒｅｑｕｅｓｔ  Ａｃｋｎｏｗｌｅｄｇｅ」を送信してもよい。
【００９５】
本実施形態の第１の特徴において、工程Ｂにおいて、交換局ＭＭＥは、通知された「ＣＳＧ  ＩＤ＝＃２０」に基づいて、移動局ＵＥがＣＳＧセル＃２に対してアクセス可能でないと判定した場合で、かつ、通知されたアクセスモードが「ｃｌｏｓｅｄモード」であると判定した場合、無線基地局ＨｅＮＢ＃２に対して、「Ｐａｔｈ  Ｓｗｉｔｃｈ  Ｒｅｑｕｅｓｔ  Ｆａｉｌｕｒｅ（パス切替失敗信号）」を送信してもよい。
【００９６】
本実施形態の第２の特徴は、交換局ＭＭＥであって、移動局ＵＥの無線基地局ＨｅＮＢ＃１配下のＣＳＧセル＃１から無線基地局ＨｅＮＢ＃２配下のＣＳＧセル＃２へのハンドオーバ手順において、無線基地局ＨｅＮＢ＃２から「Ｐａｔｈ  Ｓｗｉｔｃｈ  Ｒｅｑｕｅｓｔ」を受信するように構成されている受信部１１と、ハンドオーバ手順において、「Ｐａｔｈ  Ｓｗｉｔｃｈ  Ｒｅｑｕｅｓｔ」に含まれるＣＳＧセル＃２が属する「ＣＳＧ  ＩＤ＝＃２０」及びＣＳＧセル＃２が動作しているアクセスモードに基づいて、移動局ＵＥのＣＳＧセル＃２に対するアクセス制御を行うように構成されている判定部１３とを具備することを要旨とする。
【００９７】
本実施形態の第２の特徴において、判定部１３が、「ＣＳＧ  ＩＤ＝＃２０」に基づいて、移動局ＵＥがＣＳＧセル＃２に対してアクセス可能であると判定した場合で、かつ、ＣＳＧセル＃２が動作しているアクセスモードが「ｈｙｂｒｉｄモード」であると判定した場合に、無線基地局ＨｅＮＢ＃２に対して、「ＣＳＧ  ｍｅｍｂｅｒｓｈｉｐ  ｓｔａｔｕｓ＝ｍｅｍｂｅｒ」を含む「Ｐａｔｈ  Ｓｗｉｔｃｈ  Ｒｅｑｕｅｓｔ  Ａｃｋｎｏｗｌｅｄｇｅ」を送信するように構成されている送信部１４を具備してもよい。
【００９８】
本実施形態の第２の特徴において、判定部１３が、「ＣＳＧ  ＩＤ＝＃２０」に基づいて、移動局ＵＥがＣＳＧセル＃２に対してアクセス可能であると判定した場合で、かつ、ＣＳＧセル＃２が動作しているアクセスモードが「ｃｌｏｓｅｄモード」であると判定した場合に、無線基地局ＨｅＮＢ＃２に対して、「Ｐａｔｈ  Ｓｗｉｔｃｈ  Ｒｅｑｕｅｓｔ  Ａｃｋｎｏｗｌｅｄｇｅ」を送信するように構成されている送信部１４を具備してもよい。
【００９９】
本実施形態の第２の特徴において、判定部１３が、「ＣＳＧ  ＩＤ＝＃２０」に基づいて、移動局ＵＥがＣＳＧセル＃２に対してアクセス可能でないと判定した場合で、かつ、ＣＳＧセル＃２が動作しているアクセスモードが「ｈｙｂｒｉｄモード」であると判定した場合に、無線基地局ＨｅＮＢ＃２に対して、「ＣＳＧ  ｍｅｍｂｅｒｓｈｉｐ  ｓｔａｔｕｓ＝ｎｏｎ  ｍｅｍｂｅｒ」を含む「Ｐａｔｈ  Ｓｗｉｔｃｈ  Ｒｅｑｕｅｓｔ  Ａｃｋｎｏｗｌｅｄｇｅ」を送信するように構成されている送信部１４を具備してもよい。
【０１００】
本実施形態の第２の特徴において、判定部１３が、「ＣＳＧ  ＩＤ＝＃２０」に基づいて、移動局ＵＥがＣＳＧセル＃２に対してアクセス可能でないと判定した場合で、かつ、ＣＳＧセル＃２が動作しているアクセスモードが「ｃｌｏｓｅｄモード」であると判定した場合、無線基地局ＨｅＮＢ＃２に対して、「Ｐａｔｈ  Ｓｗｉｔｃｈ  Ｒｅｑｕｅｓｔ  Ｆａｉｌｕｒｅ」を送信するように構成されている送信部１４を具備してもよい。
【０１０１】
なお、上述の交換局ＭＭＥや無線基地局ＨｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１０２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥや無線基地局ＨｅＮＢや移動局ＵＥ内に設けられていてもよい。また、かかる記憶媒体及びプロセッサは、ディスクリートコンポーネントとして交換局ＭＭＥや無線基地局ＨｅＮＢや移動局ＵＥ内に設けられていてもよい。
【０１０４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１０５】
ＭＭＥ…交換局
ＨｅＮＢ…無線基地局
１１、２１…受信部
１２、２２…記憶部
１３、２３…判定部
１４、２４…送信部
【図１】
2011120108.tif 000003
【図２】
2011120108.tif 000004
【図３】
2011120108.tif 000005
【図４】
2011120108.tif 000006
【図５】
2011120108.tif 000007
【図６】
2011120108.tif 000008
【図７】
2011120108.tif 000009
【図８】
2011120108.tif 000010
【図９】
2011120108.tif 000011